(57)【特許請求の範囲】
【請求項１】
防水素材からなると共に、内部からの圧力によって略四角形状となる複数の袋体本体を屈曲可能な連結部材を介在して横方向に並設し、隣り合う袋体本体は、上面と下面が相互にたがい違いになるように気体又は液体を注入可能な注入口を備えており、前記連結部材を屈曲して上面に注入口を有する袋体本体の上に隣り合う袋体本体を上下反転して積み重ね、連結部材による連結部位の反対側に設けたはずれ止め部材と、連結部材とによって上下の袋体本体を固定したことを特徴とする袋体
【発明の詳細な説明】
【技術分野】
【０００１】
本発明は、浸水防止対策に用いられる、袋体に関する。
【背景技術】
【０００２】
従来、浸水防止対策として、土嚢と呼ばれる袋体を用いることがあった。土嚢とは、突発的な水害や土砂災害時に麻布等で製作された布袋の中に土や砂を詰め、その後布袋を縛り積み上げることで、水や土砂の移動を防ぐために用いるものであるが、場合によっては、土や砂が手に入りにくい場合も想定されるため、近年では内部に水を詰めることができる袋体、所謂水嚢が特許文献１などで提案されている。
【先行技術文献】
【特許文献】
【０００３】
【特許文献１】特開２００８−６３９２５号公報
【発明の概要】
【発明が解決しようとする課題】
【０００４】
特許文献１では、水害防止用土嚢の代用として、防水性布又はシートで作った袋に、吸水口、排水口を設け、ポンプ等で水を張り込み使用する、非常にシンプルな防災用水嚢が提案されている。しかしながら、特許文献１に提案される水嚢を含め、従来の水嚢は、単体として見た場合は、土や砂等を手に入れて使用する必要がないので、土嚢よりも汎用性があるが、その反面、土嚢に比べて形状が不安定であり、且つ、複数の水嚢を積み上げたりすることが難しいものであったため、強固なブロックを形成することが困難なものであった。また、突発的な水害や土砂災害時に救命器具としても用いることができるような構成のものは今まで存在しなかった。
【０００５】
本発明は上記実情を基に開発されたもので、強固なブロックを形成することが容易な袋体であって、なお且つ、突発的な水害や土砂災害時に救命器具としても使用可能な袋体を提供することを目的としている。
【課題を解決するための手段】
【０００６】
前記の課題を解決するために本発明は、防水素材からなると共に、内部からの圧力によって略四角形状となる複数の袋体本体を屈曲可能な連結部材を介在して横方向に並設し、隣り合う袋体本体は、上面と下面が相互にたがい違いになるように気体又は液体を注入可能な注入口を備えており、前記連結部材を屈曲して上面に注入口を有する袋体本体の上に隣り合う袋体本体を上下反転して積み重ね、連結部材による連結部位の反対側に設けたはずれ止め部材と、連結部材とによって上下の袋体本体を固定したことを特徴とする。
【発明の効果】
【０００９】
本発明のような構成であれば、ブロックを形成する際に複数の袋体本体を使用するときには、上下の袋体本体同士をはずれ止め部材と連結部材によって固定できるため、強固なブロックを形成することが容易である。また、本発明のように空気等の気体を注入し、内部からの圧力によって略四角形状に膨張可能な構成であれば、突発的な水害や土砂災害時には、空気等の気体を封入することで浮体になるので、救命器具としても使用可能なものでとなる。
【図面の簡単な説明】
【００１２】
【図１】（イ）、（ロ）、（ハ）図は、本発明の袋体の第一実施形態を示す正面図、側面図、平面図である。
【図２】（イ）、（ロ）図は、本発明の袋体の第二実施形態を示す正面図と、平面図である。
【図３】（イ）、（ロ）、（ハ）図は、本発明の袋体の第三実施形態を示す平面図、正面図、袋体本体を重ね合わせた際の正面図である。
【発明を実施するための形態】
【００１３】
以下、本発明の実施の形態を、図１から図３を元に詳細に説明する。本発明の袋体１０の第一実施形態は、図１（イ）、（ロ）、（ハ）に示すように、袋体本体２０と、厚手ビニール３０からなる。そして、袋体本体２０と厚手ビニール３０は、一体成型、又は、それぞれ別部材として作成した後に一体化したものである。
【００１４】
そして、袋体本体２０は、ビニール等の合成樹脂、皮、布地などを含む防水素材からなると共に、袋体本体２０の上面に設けられた注入口２１から水等の液体や空気等の気体をいれ、キャップ４０で注入口２１の開口を封じられるものである。そして、本発明の袋体１０を使用する際には、袋体本体２０内の体積の９０％程度を満たす水等の液体、又は空気等の気体を注入口２１から注入し外面を膨張させ、袋体本体２０は最終的に角の丸い略四角形形状をなすものである。なお、安定性の観点からすると、袋体本体２０の各面は、正方形ではない長方形に近似した形状であって、正面から見ると横長の態をなすことが望ましい。
【００１５】
また、袋体本体２０の上面には、前記した注入口２１の他に、軟骨部材２２が備えられている。軟骨部材２２は、砂粒状の弾性に富む支持材からなり、袋体本体２０の形状の安定性を保つために、少なくとも袋体本体２０の上面の周縁を囲むように備えられているものである。そして、図１（ハ）に示すように、袋体本体２０の横たわみを防ぐために、袋体本体２０の短辺方向に沿って梁のように延びるものであってもよい。なお、この軟骨部材２２は、複数の袋体１０同士を積み重ねる際のズレ止めにもなるものであるため、より摩擦抵抗を増大させるために網目状に備えてあっても問題ない。そして、この軟骨部材２２の厚さは任意であるが、袋体１０の積み上げやすさを考慮するならば、前記した注入口２１の開口をキャップ４０で封じた際の高さよりも厚くてもよい。
【００１６】
そして、袋体１０の底面、より詳しく述べるならば、袋体本体２０の底面側には、防水素材等、ある程度水に濡れても破損しない素材からなる厚手ビニール３０が備えられている。この厚手ビニール３０は、袋体１０の底面、より詳しく述べるならば、袋体本体２０の底面各辺から水平方向に延設されるものであって、言い換えるならば、袋体本体２０の底面を中心として、スカート状に配置されるものである。なお、図１（ハ）に示すように、厚手ビニール３０は、平面視すると、袋体１０の底面、より詳しく述べるならば、袋体本体２０の底面各辺から略長方形形状に延設されているものであるが、必ずしも略長方形である必要はなく、円形状に近い形状でも問題ない。そして、厚手ビニール３０の底面には、袋体本体２０の上面のように、複数の袋体１０同士を積み重ねる際のズレ止め、且つ、設置位置への固定部材として、砂粒状の弾性に富む支持材からなる軟骨部材３１を設けることが望ましい。このような構成であれば、高い形状安定性を備えると共に、複数の袋体１０を組み合わせてブロックを形成することが容易な袋体１０となる。なお、本発明の袋体１０の持ち運び時には、この厚手ビニール３０の端を持つことができるようにするため、厚手ビニール３０は把持しやすいようにある程度の厚さがあることが望ましく、場合によっては図1（ハ）に示すように、持ち手となる貫通孔３２を設けても問題ない。また、前記した貫通孔３２は、使用者の腕を通すことが可能なサイズであることが好ましく、その貫通孔３２に腕を通すことで、空気等の気体を封入することで浮体になった袋体１０を背負ったり、抱きかかえたりすることが容易となるため、救命器具として更に使い勝手のよいものとなる。また、複数の袋体１０を積み重ねた時に、隣り合う袋体１０同士が固定されるように、厚手ビニール３０や袋体本体２０の側面に嵌め込み式の固定部分や係合部材を設けても問題ない。
【００１７】
本発明の袋体１０の第二実施形態は、図２（イ）、（ロ）に示すように、複数の袋体本体２０が連結されているものである。この連結された袋体本体２０同士は、図示しない連絡通路などによって、内部同士が繋がっているものであって、複数ある注入口２１のうちどれか一つから、水等の液体、又は空気等の気体を注入すれば、連結された袋体本体２０の全てに注入物がいきわたるようになっていることが望ましい。なお、本発明の袋体１０の第二実施形態は、図２に示すように、複数の注入口２１を有している。これは使用後に、内部に溜まった液体、又は気体を排出しやすいように複数配置しているものであるが、水等の液体、又は空気等の気体を注入する際に複数用いても問題ない。
【００１８】
本発明の袋体１０の第三実施形態は、図３（イ）、（ロ）、（ハ）に示すように、複数の袋体本体２０を連結し、且つ、重ね合わせることを当初から想定したものである。そして、図３（イ）に示すように、紙面上、幅方向に並設された複数の袋体本体２０は、隣り合う袋体本体２０同士が連結部材２３によって連結されている。また、図３（イ）に示すように、紙面上、高さ方向に並設された複数の袋体本体２０同士は、図示しない連絡通路などによって、少なくとも内部同士が繋がっているものであって、複数ある注入口２１のうちどれか一つから、水等の液体、又は空気等の気体を注入すれば、高さ方向に並設された袋体本体２０の全てに注入物がいきわたるようになっていることが望ましい。なお、本発明の袋体１０の第三実施形態は、図３に示すように、紙面上、高さ方向に並設された複数の袋体本体２０のそれぞれに注入口２１を有している。これは使用後に、内部に溜まった液体、又は気体を排出しやすいように複数配置しているものであるが、水等の液体、又は空気等の気体を注入する際に複数用いても問題ない。そして、このような袋体本体２０を重ね合わせる際には、図３（ロ）に示すように、紙面上、幅方向左端に位置する袋体本体２０、言い換えるならば最下段となる袋体本体２０の上に、連結部材２３によって連結された袋体本体２０が次々と重ねられる。なお、重ね合わせた際には、図３（ハ）に示すように、連結部材２３によって連結されていない部位については、金属製の固定部材である、はずれ止め部材２４等によって固定し、強固なブロックを形成する。なお、本発明の袋体１０の第三実施形態のように、複数の袋体本体２０を連結し、比較的大きな浮力が得られることが期待される場合には、突発的な水害や災害時には、筏やエアマット等にも使用することが可能である。
【００１９】
なお、上記開示された本発明の実施形態の構造は、あくまで例示である。本発明の技術的範囲は、特許請求の範囲の記載によって示されると共に、当該記載と均等と評価される技術的構成まで含むものである。また、様々な災害に対応するために袋体１０を構成する部材の素材や、大きさ、固さ等は任意であるし、袋体１０が有する袋体本体２０の数も１つ以上であればどれだけあっても問題ない。
【符号の説明】
【００２０】
１０  袋体
２０  袋体本体
２１  注入口
２２  軟骨部材
２３  連結部材
２４  はずれ止め部材
３０  厚手ビニール
３１  軟骨部材
３２  貫通孔
４０  キャップ             
【図１】
0006313721.tif 000002
【図２】
0006313721.tif 000003
【図３】
0006313721.tif 000004